(57)【要約】【課題】画像の表示方向を記録する画像方向記憶装置を備えることなく、一度再生して表示方向を調整した画像データを、再度調整することなく調整した向きと同じ向きに再生することを目的とする。【解決手段】一度表示した画像データと、その時の画像再生情報を記憶媒体に記憶し、再表示時にはこの記憶媒体に記憶した画像データと画像再生情報を読み出し（Ｓ０５）、自動的に画像を調整して（Ｓ０８）再表示する（Ｓ０９）ことにより、画像の表示方向を記録する画像方向記憶装置を備えることなく、一度再生して表示方向を調整した画像データを、再度調整することなく調整した向きと同じ向きに再生することができ、また、一度表示した表示状態を再度調整することなく再表示することができる。【選択図】    図８
2004336260.tif 000002
【特許請求の範囲】
【請求項１】
画像データを再生表示する機能と記録媒体への書き込み機能を持つデジタル画像再生記録装置を用いて画像を表示するに際し、
表示した前記画像データの再生状態を調整してその画像再生情報と画像データを前記記録媒体に保存する工程と、
前記表示した画像データを前記記録媒体に保存した画像再生情報と画像データを用いて再表示する工程と
を有し、一度表示した画像データとその画像再生情報を記録媒体に保持することにより、再度その画像データを表示する際には、記憶した画像再生情報を用いて再度調整する事なしに一度表示した画像を再表示することを特徴とする調整画像再表示方法。
【請求項２】
光ディスクにデータを書き込む機能と光ディスクに記録された画像データを読み出して再生表示する機能を持つデジタル画像再生記録装置を用いて画像を表示するに際し、
表示した前記画像データの再生状態を調整してその画像再生情報を前記光ディスクに保存する工程と、
前記表示した画像データを前記光ディスクに保存した画像再生情報を用いて再表示する工程と
を有し、一度表示した画像データの画像再生情報を光ディスクに保持することにより、再度その画像データを表示する際には、記憶した画像再生情報を用いて再度調整する事なしに一度表示した画像を再表示することを特徴とする調整画像再表示方法。
【請求項３】
前記光ディスクは追記可能な光ディスクであり、前記画像再生情報を前記光ディスクの追記可能な領域に保存することを特徴とする請求項２記載の調整画像再表示方法。
【請求項４】
前記光ディスクは追記不可能な光ディスクであり、前記画像再生情報を前記光ディスクの通常使用されない物理的に記録可能な領域に保存することを特徴とする請求項２記載の調整画像再表示方法。
【請求項５】
前記画像再生情報は画像再生時の表示方向を示す画像方向情報であることを特徴とする請求項１または請求項２または請求項３または請求項４記載の調整画像再表示方法。
【請求項６】
前記画像再生情報は画像再生時の画質を調整する画質調整情報であることを特徴とする請求項１または請求項２または請求項３または請求項４記載の調整画像再表示方法。
【発明の詳細な説明】
【０００１】
【発明の属する技術分野】
本発明は、記録媒体に記録された画像を再生する際の画像再生情報を記録する方法に関する。
【０００２】
【従来の技術】
以下、図１，図２，図３を用いて従来の調整画像再表示方法を説明する。
図１は従来の光ディスク再生装置の構成概略図，図２（ａ）画像方向が正しい静止画データを示す図，図２（ｂ）は画像方向が使用者の期待する画像方向と異なる静止画データを示す図であり、静止画の表示方向を説明する図である。図３は従来の静止画方向を調整する手順を説明するフロー図である。
【０００３】
図１に示す光ディスク再生装置において、ＣＤ−Ｒ等の光ディスク１１に記録した図２（ａ）のような画像方向が正しい静止画データを再生する場合、光ディスクから光ディスクデータ読み出し装置１２で静止画データを読み出し、静止画復号装置１３で静止画が復号され、静止画表示装置１４で静止画が表示出力される。
【０００４】
図２（ｂ）のような画像方向が使用者の期待する画像方向と異なっている静止画データを再生する場合は、図３に示すフローのように、まず、光ディスク１１から光ディスクデータ読み出し装置１２で静止画データを読み出して静止画復号装置１３で静止画が復号され（Ｓ０１）、静止画表示装置１４で静止画が表示出力された後（Ｓ０２）、使用者が画像方向を認識してから使用者の回転、反転指示を制御装置１７が正しい向きで再生できるよう静止画表示装置１４を制御し（Ｓ０３）、回転表示する（Ｓ０４）。
【０００５】
また、光ディスク１１に記録された静止画データを光ディスクデータ読み出し装置１２で読み出し、記録媒体へのデータ書き込み装置１５で着脱可能な記録媒体１９に書き込むことができる。この記録媒体１９に記録された静止画データは以上の光ディスク画再生装置の他に、記録媒体１９を装着可能な再生装置でも再生が可能である（例えば、特許文献１参照）。
【０００６】
【特許文献１】
特開２００１−６１０８３号公報
【０００７】
【発明が解決しようとする課題】
しかしながら、一度回転表示した向きに自動的に再生するには、一度再生した静止画データの表示方向を記憶し、次に再生する時には記憶してある画像方向情報を使って前回再生時と同じ向きで再生させる画像方向情報記憶装置１８が必要であるという問題点があった。
【０００８】
また、同様に、記録媒体１９に記録した画像ファイルを再生する場合にも、前回再生時と同じ向きで再生するには、画像方向記憶装置１８に画像の表示方向の情報を記憶する必要があるという問題点があった。
【０００９】
上記問題点を解決するために、本発明の調整画像再表示方法は、画像の表示方向を記録する画像方向記憶装置を備えることなく、一度再生して表示方向を調整した画像データを、再度調整することなく調整した向きと同じ向きに再生することを目的とする。
【００１０】
また、同様に、一度表示した画像の表示状態を再度調整することなく再表示することを目的とする。
【００１１】
【課題を解決するための手段】
上記問題点を解決するために、本発明の請求項１記載の調整画像再表示方法は、画像データを再生表示する機能と記録媒体への書き込み機能を持つデジタル画像再生記録装置を用いて画像を表示するに際し、表示した前記画像データの再生状態を調整してその画像再生情報と画像データを前記記録媒体に保存する工程と、前記表示した画像データを前記記録媒体に保存した画像再生情報と画像データを用いて再表示する工程とを有し、一度表示した画像データとその画像再生情報を記録媒体に保持することにより、再度その画像データを表示する際には、記憶した画像再生情報を用いて再度調整する事なしに一度表示した画像を再表示することを特徴とする。
【００１２】
請求項２記載の調整画像再表示方法は、光ディスクにデータを書き込む機能と光ディスクに記録された画像データを読み出して再生表示する機能を持つデジタル画像再生記録装置を用いて画像を表示するに際し、表示した前記画像データの再生状態を調整してその画像再生情報を前記光ディスクに保存する工程と、前記表示した画像データを前記光ディスクに保存した画像再生情報を用いて再表示する工程とを有し、一度表示した画像データの画像再生情報を光ディスクに保持することにより、再度その画像データを表示する際には、記憶した画像再生情報を用いて再度調整する事なしに一度表示した画像を再表示することを特徴とする。
【００１３】
請求項３記載の調整画像再表示方法は、請求項２記載の調整画像再表示方法において、前記光ディスクは追記可能な光ディスクであり、前記画像再生情報を前記光ディスクの追記可能な領域に保存することを特徴とする。
【００１４】
請求項４記載の調整画像再表示方法は、請求項２記載の調整画像再表示方法において、前記光ディスクは追記不可能な光ディスクであり、前記画像再生情報を前記光ディスクの通常使用されない物理的に記録可能な領域に保存することを特徴とする。
【００１５】
請求項５記載の調整画像再表示方法は、請求項１または請求項２または請求項３または請求項４記載の調整画像再表示方法において、前記画像再生情報は画像再生時の表示方向を示す画像方向情報であることを特徴とする。
【００１６】
請求項６記載の調整画像再表示方法は、請求項１または請求項２または請求項３または請求項４記載の調整画像再表示方法において、前記画像再生情報は画像再生時の画質を調整する画質調整情報であることを特徴とする。
【００１７】
以上の方法により、画像の表示方向を記録する画像方向記憶装置を備えることなく、一度再生して表示方向を調整した画像データを、再度調整することなく調整した向きと同じ向きに再生することができ、また、一度表示した表示状態を再度調整することなく再表示することができる。
【００１８】
【発明の実施の形態】
（実施の形態１）
以下、実施の形態１の調整画像再表示方法について、図４，図５を参照して説明する。
【００１９】
図４は本発明の実施の形態１における光ディスク再生装置の構成概略図であり、図５（ａ）は画像方向に指定がない場合の光ディスクと記録媒体におけるデータ形式図、（ｂ）は画像方向に指定がある場合の光ディスクと記録媒体におけるデータ形式図である。
【００２０】
実施の形態１に記載の発明は、光ディスク１１に記録された静止画データを再生して記録媒体１９に同ファイルを記録する場合に、使用者が期待する回転情報を付加して記録するものである。
【００２１】
以下、実施の形態１における調整画像再表示方法の手順を説明する。
まず、静止画データを再生する。光ディスク１１に記録されている静止画データを光ディスクデータ読み取り装置１２で読み取り、静止画復号装置１３にて静止画に復号されて静止画表示装置１４で表示する。使用者は表示されている画像を見て光ディスク１１に記録されている静止画データの画像方向が間違っていた場合、期待していた画像方向に変更するため回転と反転に対する入力をして、制御装置１７は静止画表示装置１４に対して回転、反転の指示をして静止画を期待している画像方向に変更して表示させる。
【００２２】
次に、静止画データを記録媒体１９にコピーする。静止画データ再生時に使用者から回転、反転が指示されたら記録媒体１９に画像方向情報を記録する。回転反転情報はファイルごとに、回転情報は２ビット、反転情報は１ビットで管理する。
【００２３】
ここで、静止画の画像方向と最後に表示していた時の画像方向が同じ場合、静止画データを光ディスクデータ読み出し装置１２から、読み出し記録媒体へのデータ書き込み装置１５に送り、そのまま記録媒体１９に書き込む。静止画の画像方向と最後に表示していた時の画像方向が異なる場合、静止画データを光ディスクデータ読み出し装置１２から読み出し、記録媒体へのデータ書き込み装置１５に送り、記録媒体１９に記録していた画像方向情報を使って静止画データの画像記録情報を図５（ｂ）のように、ヘッダ情報として画像方向情報を修正して記録媒体１９に記録する。画像情報がない場合は図５（ａ）のように静止画ストリームに画像方向情報を追加して記録媒体１９に記録する。
【００２４】
この方法により記録媒体１９には画像方向が修正された静止画データが書き込まれ、画像の表示方向を記録する画像方向記憶装置を備えることなく、一度再生して表示方向を調整した画像データを、再度調整することなく調整した向きと同じ向きに再生することができる。
【００２５】
また、画像方向情報だけではなく、画像再生情報を記録することにより、一度表示した表示状態を再度調整することなく再表示することができる。
（実施の形態２）
以下、実施の形態２の調整画像再表示方法について、図６，図７，図８を参照しながら説明する。
【００２６】
図６は本発明の実施の形態２における光ディスク再生装置の構成概略図，図７（ａ）は追記可能な領域を有する光ディスクの概略図，図８は本発明の静止画方向，画質を調整する手順を説明するフロー図である。
【００２７】
本発明は光ディスク１１が追記可能な場合、光ディスク１１に記録された静止画データを再生し、使用者の指示により表示された画像方向情報を光ディスク１１に記録するものである。
【００２８】
ここで、追記可能な光ディスクとは図７（ａ）に示すように静止画記録領域７１の外側にある追記可能な領域７２に追加して記録できる光ディスクのことを指す。
【００２９】
以下、実施の形態２における調整画像再表示方法の手順を図８のフロー図に基づいて説明する。
まず、追記可能な光ディスク１１に記録されている静止画データを光ディスクデータ読み取り装置１２で読み取り、静止画復号装置１３にて静止画に復号されて静止画表示装置１４で表示する。使用者は表示されている画像を見て画像方向を入力することにより、静止画を期待している画像方向に変更して表示させる。また、使用者は期待している画質に変更して表示させる。この時、画像方向として回転情報と反転情報、そして画質調整情報を光ディスクの追記可能な領域７２に記録する。回転反転情報はファイルごとに、回転情報は２ビット、反転情報は１ビットで管理する。
【００３０】
また、画質調整情報として記録する内容としては、静止画表示装置１４が、ノイズ除去、コントラスト調整、カラー調整、輝度調整、鮮明度調整、γ補正の画質調整機能を有し、その設定を記録する。これら機能により、静止画を表示する時に静止画の輝度、色差に変換し画質を調整する。
【００３１】
次に、表示方向，画質を調整した情報と静止画データを光ディスク１１から光ディスクデータ読み出し装置１２で読出して（Ｓ０５）静止画復号装置１３で静止画が復号され（Ｓ０６）、静止画表示装置１４で静止画が表示出力される（Ｓ０７）。次に、表示方向，画質を調整した情報があるかないかを判定し（Ｓ０７）、なければ、静止画を表示し（Ｓ０９）、表示方向，画質を調整した情報があれば、表示方向および画質を調整して（Ｓ０８）静止画を表示する。
【００３２】
この方法により、光ディスクの追記可能な領域に静止画データと共に表示方向，画質を調整した情報が書き込まれ、画像の表示方向を記録する画像方向記憶装置を備えることなく、一度再生して表示方向を調整した画像データを、再度調整することなく調整した向きと同じ向きに同じ画質で再生することができ、また、一度表示した表示状態を再度調整することなく再表示することができる。
（実施の形態３）
以下、実施の形態３の調整画像再表示方法について、図６，図７，図８を参照しながら説明する。
【００３３】
図７（ｂ）は追記可能な領域を有さない光ディスクの概略図であり、記録領域のすぐ外側がファイナライズ処理がされていて追記不可能であり、その外周部に物理的に記録可能であるが従来の光ディスク再生装置、記録装置ではその領域にアクセスすることができない記録可能な領域７３を有する光ディスクの構造を示している。
【００３４】
本発明は光ディスク１１が追記を禁止するファイナライズ処理がされていて追記不可の場合、光ディスクに記録された静止画データを再生し、使用者の指示により表示された画像方向情報を追記不可の光ディスク１１の記録可能な領域７３に記録するものである。
【００３５】
以下、実施の形態３における調整画像再表示方法の手順を説明する。
まず、追記不可の光ディスク１１に記録されている静止画データを光ディスクデータ読み取り装置１２で読み取り、静止画復号装置１３にて静止画に復号されて静止画表示装置１４で表示する。使用者は表示されている画像を見て画像方向を入力することにより、静止画を期待している画像方向に変更して表示させる。また、使用者は期待している画質に変更して表示させる。この時、画像方向として回転情報と反転情報、そして画質調整情報を光ディスクの記憶可能な領域７３に記録する。回転反転情報はファイルごとに、回転情報は２ビット、反転情報は１ビットで管理する。
【００３６】
以降、表示方向，画質を調整した情報と静止画データを光ディスク１１から読出して、実施の形態２と同様の手順で静止画を表示する。
この方法により、光ディスクの追記可能な領域に静止画データと共に表示方向，画質を調整した情報が書き込まれ、画像の表示方向を記録する画像方向記憶装置を備えることなく、一度再生して表示方向を調整した画像データを、再度調整することなく調整した向きと同じ向きに同じ画質で再生することができ、また、一度表示した表示状態を再度調整することなく再表示することができる。
【００３７】
以上の各実施の形態では、画像表示方向の他に画質調整情報を記憶する場合について説明したが、その他の表示に関する調整情報や画像自体の情報を記憶することも可能である。
【００３８】
また、光ディスクを例に説明したが、その他の記録媒体に記録された画像データにおいても同様の方法を適応できる。
また、静止画像を用いて説明したが、動画に用いることも可能である。
【００３９】
【発明の効果】
以上のように本発明の調整画像再表示方法によると、一度表示した画像データと、その時の画像再生情報を記憶媒体に記憶し、再表示時にはこの記憶媒体に記憶した画像データと画像再生情報を用いて表示することにより、画像の表示方向を記録する画像方向記憶装置を備えることなく、一度再生して表示方向を調整した画像データを、再度調整することなく調整した向きと同じ向きに再生することができ、また、一度表示した表示状態を再度調整することなく再表示することができる。
【００４０】
また、一度表示した光ディスクの画像データと、その時の画像再生情報を光ディスクの追記可能領域に記録し、再表示時にはこの追記可能領域に記憶した画像データと画像再生情報を用いて表示することにより、画像の表示方向を記録する画像方向記憶装置を備えることなく、一度再生して表示方向を調整した画像データを、再度調整することなく調整した向きと同じ向きに再生することができ、また、一度表示した表示状態を再度調整することなく再表示することができる。
【００４１】
また、一度表示した光ディスクの画像データと、その時の画像再生情報を追記を許可していない光ディスクの記憶可能領域に記録し、再表示時にはこの記憶可能領域に記憶した画像データと画像再生情報を用いて表示することにより、画像の表示方向を記録する画像方向記憶装置を備えることなく、一度再生して表示方向を調整した画像データを、再度調整することなく調整した向きと同じ向きに再生することができ、また、一度表示した表示状態を再度調整することなく再表示することができる。
【図面の簡単な説明】
【図１】従来の光ディスク再生装置の構成概略図
【図２】（ａ）画像方向が正しい静止画データを示す図
（ｂ）画像方向が使用者の期待する画像方向と異なる静止画データを示す図
【図３】従来の静止画方向を調整する手順を説明するフロー図
【図４】本発明の実施の形態１における光ディスク再生装置の構成概略図
【図５】（ａ）画像方向に指定がない場合の光ディスクと記録媒体におけるデータ形式図
（ｂ）画像方向に指定がある場合の光ディスクと記録媒体におけるデータ形式図
【図６】本発明の実施の形態２における光ディスク再生装置の構成概略図
【図７】（ａ）追記可能な領域を有する光ディスクの概略図
（ｂ）追記可能な領域を有さない光ディスクの概略図
【図８】本発明の静止画方向，画質を調整する手順を説明するフロー図
【符号の説明】
１１    光ディスク
１２    光ディスクデータ読み取り装置
１３    静止画復号装置
１４    静止画表示装置
１５    記録媒体へのデータ書き込み装置
１７    制御装置
１８    画像方向情報記憶装置
１９    記憶媒体
７１    静止画記録領域
７２    追記可能な領域
７３    記録可能な領域
【図１】
2004336260.tif 000003
【図２】
2004336260.tif 000004
【図３】
2004336260.tif 000005
【図４】
2004336260.tif 000006
【図５】
2004336260.tif 000007
【図６】
2004336260.tif 000008
【図７】
2004336260.tif 000009
【図８】
2004336260.tif 000010